(57)【特許請求の範囲】
【請求項１】
蒸発器（２５）と、この蒸発器（２５）において供給された水（８）を気化して水蒸気を生成させるための加熱素子（２４）と、前記蒸発器（２５）の温度（２７）を感知するセンサ（２８）とを含むトーチ（６）を備え、さらに、前記トーチ（６）に供給される前記水（８）の圧力（３４）を調節するバルブ（３３）と、前記加熱素子（２４）にエネルギーを供給するエネルギー供給源と、前記バルブ（３３）及び前記エネルギー供給源を調節する調整ユニットとを備え、水蒸気プラズマの生成領域に水蒸気を供給する蒸気プラズマ切断装置（１）での切断方法のために水（８）を気体状態に変換する方法であって、
トーチ（６）の動作中に、前記調整ユニットによって、前記センサ（２８）が感知した前記蒸発器（２５）の温度（２７）を所定温度に保持するように、前記エネルギー供給源から前記加熱素子（２４）に供給されるエネルギー量である基本負荷（３０）を調節し、
さらに、トーチ（６）の動作中に、前記調整ユニットによって、前記センサ（２８）が感知した前記蒸発器（２５）の温度（２７）に応じて、前記バルブ（３３）を介して前記トーチ（６）に供給される前記水（８）の圧力（３４）を調節することにより、前記基本負荷（３０）の調節による前記温度（２７）の保持をサポートすることを特徴とする方法。
【請求項２】
１０から９０％の基本負荷（３０）が動作中に前記加熱素子（２４）によって生成されることを特徴とする、請求項１に記載の方法。
【請求項３】
前記圧力（３４）が前記温度（２７）と閾値（２６）の関係に応じて調節されることを特徴とする、請求項１又は請求項２項に記載の方法。
【請求項４】
前記水（８）が気体状態に変化する安定した気化区域（３２）が、変動可能な前記基本負荷（３０）によって達成されることを特徴とする、請求項１から請求項３のいずれか１項に記載の方法。
【請求項５】
温度変化を迅速に補償するために前記圧力（３４）の調節が利用されることを特徴とする、請求項１から請求項４のいずれか１項に記載の方法。
【請求項６】
前記基本負荷（３０）を最大加熱負荷（２９）まで増大させることによって急な温度変動の均衡を取ることを特徴とする、請求項５に記載の方法。
【請求項７】
前記水蒸気プラズマ切断装置（１）が始動され、前記温度（２７）が前記閾値（２６）に達した後に加熱が開始されることを特徴とする、請求項３から請求項６のいずれか１項に記載の方法。
【請求項８】
前記加熱時間が前記蒸発器（２５）の前記温度（２７）の関数として設定されることを特徴とする、請求項７に記載の方法。
【請求項９】
切断方法の前記基本負荷（３０）の初期値が加熱時間の関数として設定されることを特徴とする、請求項７又は８に記載の方法。
【請求項１０】
前記トーチ（６）の複数の構成要素の磨耗が、温度値及び圧力値に基づき検知されることを特徴とする、請求項１から請求項９のいずれか１項に記載の方法。
【請求項１１】
ノズル（２２）の磨耗が検知されることを特徴とする、請求項１０に記載の方法。
【請求項１２】
前記温度（２７）の調節が前記水蒸気プラズマ切断装置（１）の制御ユニット（３）によって実行されることを特徴とする、請求項１から請求項１１のいずれか１項に記載の方法。
【請求項１３】
蒸発器（２５）と、この蒸発器（２５）において供給された水（８）を気化して水蒸気を生成させるための加熱素子（２４）と、前記蒸発器（２５）の温度（２７）を感知するセンサ（２８）とを含むトーチ（６）を備え、さらに、前記トーチ（６）に供給される前記水（８）の圧力（３４）を調節するバルブ（３３）と、前記加熱素子（２４）にエネルギーを供給するエネルギー供給源と、前記バルブ（３３）及び前記エネルギー供給源を調節する調整ユニットとを備え、水蒸気プラズマの生成領域に水蒸気を供給する蒸気プラズマ切断装置（１）であって、
前記調整ユニットは、前記センサ（２８）が感知した前記蒸発器（２５）の温度（２７）を所定温度に保持するように、前記エネルギー供給源から前記加熱素子（２４）に供給されるエネルギー量である基本負荷（３０）を調節し、
前記調整ユニットは、さらに、前記センサ（２８）が感知した前記蒸発器（２５）の温度（２７）に応じて、前記バルブ（３３）を介して前記トーチ（６）に供給される前記水（８）の圧力（３４）を調節することにより、前記基本負荷（３０）の調節による前記温度（２７）の保持をサポートすることを特徴とする蒸気プラズマ切断装置。
【発明の詳細な説明】
【技術分野】
【０００１】
本発明は、請求項１及び１６の前端に定義されるような、水蒸気切断装置での切断方法のために液体を気体状態に変換する方法、及びそのためのトーチに関する。
【背景技術】
【０００２】
水蒸気切断装置での溶接方法のために液体を気体状態に変換する方法は従来技術から公知であり、該方法では、液体は、電気アークによって生成される熱をトーチの蒸発器に戻すノズルの加熱によって蒸発させられ気化する。
【０００３】
ここで、不都合なことに、液体は追加の加熱素子なしに気化するため、能動的な温度調節が実行されない。さらに、気化した液体の圧力は戻されたエネルギーに依存するので、圧力も調節されない。
【０００４】
さらに、加熱素子がトーチ内に配置される水蒸気切断装置が特許文献１から公知である。さらに、トーチは蒸発器、エネルギー供給、及び液体用供給ラインを含み、適温が液体の気化に必要である。しかし、ここでは、トーチ内の温度調節に関する詳細が記載されていない。
【０００５】
【特許文献１】欧州特許第１０５０２００号明細書
【発明の開示】
【発明が解決しようとする課題】
【０００６】
本発明の目的は、気化された液体の能動的な圧力及び温度調節が可能である方法及び装置を提供することである。
【課題を解決するための手段】
【０００７】
本発明の目的は、センサが蒸発器の温度を感知し、加熱素子に必要なエネルギーを相応して供給して、トーチに供給される液体の必要な圧力を調節する調節ユニットに対して蒸発器の温度を伝えるように動作中に温度が調節され、気化した液体の略一定温度が切断方法のために提供される上述の方法によって達成される。
【０００８】
さらに、本発明の目的は、加熱素子によって生成された熱を感知し、加熱素子用の調節ユニットに接続されるセンサを含む上述のトーチによっても達成される。
【０００９】
ここで、有益なことに、温度変動に対する迅速な反応挙動は、温度調節と圧力調節の組み合わせによって達成される。よって、用途に関係なく、切断方法中の様々な状態に迅速に反応することができる。同様に、磨耗部品の磨耗を調節及び／又は相殺することができるため、部品の使用年数を延ばすことができる。同様に、磨耗を表示することができる。
【００１０】
センサがトーチに組み込まれることによって、調節が迅速に行われることも有益である。
【００１１】
加熱素子に恒久的にエネルギーを提供する手段によって、有益なことに、加熱素子がトーチ内で一定温度を生成し、エネルギー供給の変動が伴う応答時間がないことが達成される。
【００１２】
可変に調節される加熱素子によって、有益なことに、低電力加熱素子の使用が達成される。よって、より多くの電力が切断方法のために提供可能である。同様に、トーチの寸法が低電力加熱素子によって大幅に低減される。
【００１３】
さらに有益なことに、液体の気体状態への変化の間に発生する温度変動が、安定した気化区域のおかげで回避できる。よって、一定した特性を有する気体が、切断方法のために供給される。
【００１４】
温度が圧力を通じて調節され、温度変動の均衡を迅速に取ることのできる手段によって、有益なことに、切断方法のための略一定温度の提供が達成される。よって、切断特性が大幅に向上する。
【００１５】
加熱時間は、一定温度での切断方法をより早く開始できるという有益な効果を有する。
【００１６】
さらに、加熱時間はトーチの温度に依存するため、短い加熱時間の結果、水蒸気切断装置へのエネルギー供給を迅速に変更することができ、切断方法を迅速に開始できるという利点も有する。
【００１７】
急な温度変動を検知する手段によって、有益なことに、切断方法が急に中断されない。よって、切断方法のより良好な結果が得られる。
【００１８】
有益なことに、基本負荷が加熱時間の関数として設定されることによって、切断方法のための一定温度がより迅速に提供される。
【００１９】
磨耗検知は、磨耗部品の使用年数を延長できるという有利な効果を有する。
【発明を実施するための最良の形態】
【００２０】
本発明を、添付の概略図を用いてより詳細に説明する。
【００２１】
最初に、例示となる実施形態の同一の部分には同一の参照符号を付すことを述べておく。
【００２２】
図１では、水蒸気切断方法のための基本装置１ａを有する水蒸気切断装置１が示される。基本装置１ａは、電流源２、制御ユニット３、及び制御ユニット３に付与される遮断素子４を含む。遮断素子４は、水蒸気プラズマトーチ６がタンク５に提供される液体８を供給されるように、供給ライン７を介してタンク５及び水蒸気プラズマトーチ６に接続される。水蒸気プラズマトーチ６は、電流源２のライン９、１０を介して電気エネルギーを供給される。
【００２３】
冷却の目的で、水蒸気プラズマトーチ６は、冷却回路１１を介して液体タンク１３に接続され、おそらくは流量モニタ１２がその間に配置される。トーチ６及び／又は水蒸気切断装置１を動作させると、冷却回路１１は制御ユニット３によって始動され、冷却回路１１によってトーチ６を冷却することができる。冷却回路１１を形成するため、トーチ６は冷却ライン１４、１５を介して液体タンク１３に接続される。
【００２４】
さらに、水蒸気切断装置１は入力及び／又は表示装置１６を含んでよく、それを介して、水蒸気切断装置１の様々なパラメータ及び／又は動作モードを設定し表示することができる。入力及び／又は表示装置１６を介して設定されるパラメータは、水蒸気切断装置１の個々の構成要素を相応して始動させる制御ユニット３に送られる。
【００２５】
さらに、水蒸気プラズマトーチ６は、少なくとも１つの動作素子１７、特にボタン１８を含んでよい。動作素子１７、特にボタン１８を用いて、ユーザは、水蒸気切断方法を開始及び／又は実行するべきかを、ボタン１８を起動及び／又は停止することによってトーチ６から制御ユニット３に知らせることができる。さらに、たとえば、事前設定を入力及び／又は表示装置１６で調節することができ、特に、切断される物質、使用される液体、及び、たとえば電流及び電圧の特性曲線を予め設定することができる。当然ながら、別の動作素子をトーチ６に設けることができ、それを介して、水蒸気切断装置１の１つ又は複数の動作パラメータをトーチ６上で調節することができる。この目的のために、これらの動作素子は、直接ラインを介して、あるいはバスシステムを介して水蒸気切断装置１、特に制御ユニット３に接続することができる。
【００２６】
ボタン１８が起動された後、制御ユニット３は、水蒸気切断方法に必要な個々の構成要素を始動させる。たとえば、ポンプ（図示せず）、遮断素子４、及び電流源２が最初に始動されることによって、トーチ６に液体８及び電気エネルギーの供給が導入される。その後、制御ユニット３は、トーチ６の冷却が可能になるように冷却回路１１を始動させる。切断方法がトーチ６を脱出する気体１９によりワーク２０上で実行できるように、トーチ６に液体８とエネルギー、特に電流及び電圧を供給することによって、液体８はトーチ６内で、高温で気体１９、特にプラズマに変換される。
【００２７】
トーチ６を用いるワーク２０の切断方法には電気アークもさらに必要であり、その詳細を図２に示す。電気アークは制御ユニット３により、あるいはボタン１８を起動することにより着火され、トーチ６に組み込まれて好ましくは電流源２の負極に接続される陰極２１と、ノズル２２により形成され電流源２の正極に接続される陽極との間で燃焼する。トーチ６がワーク２０に接近した場合、電流源２の正極がノズル２２からワーク２０に切り換えられることによって、電気アークはノズル２２の出口開口部２３を通る気体１９によって外側へ押されて、陰極２１とワーク２０との間で燃焼する。この目的のために、電流が相応して制御ユニット４により増大されることにより、たとえば、ワーク２０を分離することができる。
【００２８】
ワーク２０を良好に分離するために、気体１９の適温が必要であり、気体１９は液体８から生成されなければならない。これは、従来技術から公知なように、ノズル２２によって戻される熱で実行される。
【００２９】
本発明によると、トーチ６に組み込まれ、相応に電気エネルギーを供給され、調節ユニットに接続される加熱素子２４を介して、液体が気化される。さらに、液体８がトーチ６に供給される圧力３４は、調節ユニットを介して調節される。ここで、気体１９の略一定温度が調節ユニットを介して確保される。同様に、加熱素子２４には、調節ユニットを介して適切に変更及び／又は調整可能なエネルギーが恒久的に供給されるため、加熱素子２４の迅速な反応挙動が実現される。
【００３０】
基本的に、調節ユニットは、水蒸気切断装置１の制御ユニット３の一部であり、いわゆる「スタンバイ動作」と「切断動作」を備える。
【００３１】
「スタンバイ動作」は、水蒸気切断装置１が作動されるときに始動される。切断装置を作動することによって、加熱素子２４には、調節ユニットを介して最大エネルギー、すなわち１００％又は最大加熱負荷が供給される。よって、いわゆる蒸発器２５は、特定の閾値２６、たとえば１９０℃が蒸発器２５の温度２７に対して達するまで予熱される。この閾値２６は、蒸発器２５の温度２７を測定するセンサ２８によって感知される。センサ２８は、調節ユニットに感知された値を送る。閾値２６に達した後、所定の加熱時間を開始する。所定の加熱でトーチ６内の熱膨張が生じることによって、切断方法に関与する構成要素、たとえば陰極２１の一定温度がトーチ６内で達成される。トーチ６の熱膨張を感知する複数のセンサ２８を組み込むことももちろん可能である。加熱時間は調節ユニットを介して定められ、水蒸気切断装置１が作動された後に存在する蒸発器２５の温度２７に依存する。たとえば、閾値２６の到達後の加熱時間は切断方法後に位置が変化するときに短くなるので、水蒸気切断装置１のエネルギー供給はすぐに中断される。水蒸気切断装置１の作動後、長時間切断方法が開始されない場合、蒸発器２５の温度２７は閾値２６に保持される。これは、加熱素子２４が閾値２６に達するために最大加熱負荷２９を供給し、閾値２６の到達後、調節ユニットを介して停止されることで実行される。よって、いわゆる２点調節器が、「スタンバイ動作」間の温度２７を調節するために使用される。
【００３２】
同様に、かかる２点調節器が「切断動作」に関して使用される。ただし、ここで、加熱素子２４は通常動作中に決して停止されず、最大加熱負荷２９が所定の基本負荷３０まで低減される、あるいは基本負荷３０が相応に調節される。
【００３３】
温度２７が閾値２６未満である場合、加熱素子２４は最大加熱負荷２９を提供する。しかし、温度２７が閾値２６を超える場合、加熱素子２４は特定の基本負荷３０を提供する。よって、蒸発器２５の略一定温度２７は、温度２７が気体１９の温度に略対応するように適応する。よって、トーチ６に供給ライン３１を介して液体８が供給され、液体８が蒸発器２５により気体１９に気化される切断方法を開始することができる。液体８が気体１９に変換される、すなわち気化される領域は、いわゆる気化区域３２と称される。切断方法のために気体１９に略一定温度を提供するため、気化区域３２は蒸発器２５内で移動及び／又は移送させるべきではない。有益なことにこのことは基本負荷３０により達成される。なぜなら、基本負荷３０により加熱素子２４は指令値２６を超えても動作し、蒸発器２５の一定温度２７が確保されるからである。
【００３４】
基本的に、基本負荷３０はパルス幅変調され、好ましくは切断方法中に１０〜９０％に調節される。基本負荷３０の初期値、すなわち、切断方法の開始のための値はトーチ６の加熱時間に依存する。すなわち、トーチ６が低い温度、すなわち、長い加熱時間を有する場合、水蒸気切断装置１が作動されたら、高い値が基本負荷３０の初期値として調整される。トーチ６が高い温度、すなわち、短い加熱時間を有する場合、水蒸気切断装置１が作動されたら、低い値が基本負荷３０の初期値として調整される。方法のさらなる過程では、基本負荷３０が相応に調節される。すなわち、水蒸気切断装置を作動させたときだけ、基本負荷３０の初期値が予め定められ、基本負荷３０が切断方法中に調節及び／又は調整される。
【００３５】
切断方法を開始するとき、基本負荷３０がたとえば８０％に調節されることによって、気体１９の最適動作温度は１９０℃〜２４０℃間で調整され、切断方法はより迅速に開始させることができる。よって、切断方法のために十分な液体８が気体１９に気化し、その気体はノズル２２の出口開口部２３を通って脱出する。さらに、電気アークは切断方法に必要で、陰極２１とワーク２０との間で燃焼する。これは、陰極２１とノズル２２との間で電気アークを着火することにより実行され、電気アークは出口開口部２３を通って、気体１９によりワーク２０に押し付けられる。燃焼電気アークはしたがって高温であるので、特にノズル２２と陰極２１が加熱される。次に、これらは熱を蒸発器区域３２に伝え、そこで気体１９がさらに加熱される。よって、温度２７、ひいては気体１９の動作温度が加熱素子２４の基本負荷３０により上昇し、熱がノズル２２と陰極２１から戻される。気体１９が動作温度を維持するように、加熱素子２４の基本負荷３０は調節ユニットを介して、たとえば１０％低減される。この基本負荷３０の低減が十分でない場合、すなわち、センサ２８によって感知される蒸発器２５及び／又は蒸発器区域３２の温度２７がまだ上昇を続けている場合、基本負荷３０はさらにたとえば１０％低減される。よって、基本負荷３０は動的に調整される。この手順は、基本負荷３０が１０％の値まで低減されるまで十分な回数繰り返される。この基本負荷３０の調節は基本的にゆっくりであるので、この温度調節は、圧力調節によって及び／又は圧力調節と組み合わせてサポートされる。
【００３６】
圧力調節は、液体８の供給ライン３１に組み込まれる水蒸気切断装置１、たとえばバルブ３３（図示せず）において実行される。同様に、圧力調節は、たとえば液体８をトーチ６に供給するポンプを直接介して水蒸気切断装置１において実行することも可能である。このバルブ３３は、圧力調節を通じて相応に調節される。基本的に、圧力は好ましくは５〜７バールの間の範囲で調節される。液体８の圧力３４は、バルブ３３を介して相応に設定される。たとえば、液体８の高圧力は、増大した量の液体８を蒸発器２５の現行温度２７で気化させなければならないという作用を有する。このように、ノズル２２及び陰極２１から戻される熱は、迅速に相殺することができる。当然ながら、圧力調節は、蒸発器２５の温度を迅速に上昇させることにも使用してよい。これは、液体８の圧力３４が低減されることで実行される。よって、少量の液体８が部屋２５の現行温度で加熱されることにより、部屋２５の現行温度が上昇する。圧力調節は迅速に行われるため、液体８の液体状態が気体１９の気体状態に変化する間の温度変動の均衡を取るため、圧力調節は好ましくは最初に、すなわち温度調節を通じた基本負荷３０の変更前に行われる。この温度調節と圧力調節との組み合わせによって、蒸発器２５、ひいては気体１９の、切断方法における好作用である略一定温度２７が達成される。同様に、この調節の組み合わせは、ノズル２２の磨耗をある程度まで均衡を取る、及び／又は改善することができる。
【００３７】
たとえば、燃焼電気アークは、ノズル２２の出口開口部２３が拡大されることによって、より多くの気体１９が出口開口部２３を通って脱出し、蒸発器２５の温度２７が低減するという効果を有する。切断方法におけるその悪影響を除去するため、温度２７の変化が検知された後、圧力３４は相応に調節される、及び／又は調節を通じて低減される。よって、脱出する気体１９の量は減少し、蒸発器２５の温度２７が再び上昇して略一定レベルで保持される。出口開口部２３の直径がさらに増大し続けて、蒸発器２５の温度２７が低下する場合、温度変化の検知後、圧力３４をさらに、たとえば、５バールの最小値まで低減しなければならない。切断方法に必要なこの５バールの最小圧力３４を下回ってはならないため、蒸発器２５の略一定温度２７が達成されない可能性がある。これは、基本負荷３０を温度調節を通じて、たとえば１０％増大させることにより回避される。よって、蒸発器２５の略一定温度２７を確保することができる。さらに、ノズル２２の磨耗は、次に、温度２７の低下を招く。圧力３４は既に下方閾値、すなわち必要な最小値に達しているので、基本負荷３０を増大させることによってのみ温度低下の均衡を取ることができる。よって、蒸発器２５の略一定温度２７が再び調整される。
【００３８】
この種の調節は、ノズル２２の磨耗に関する結論ももたらす。よって、低基本負荷及び高圧力に基づき、ノズル２２が良好又は非常に良好な状態にあることが調節ユニットを介して検知される。逆の意味で、高基本負荷及び低圧力に基づき、ノズル２２が不良又は非常に不良な状態にあり、交換が必要なことが調節ユニットを介して検知される。したがって、ノズルの磨耗は、たとえば表示装置１６に表示させることもできる。
【００３９】
図３では、切断方法間の圧力及び温度調節が、概略的かつ例示的に示される。温度２７に関して提示された図から分かるように、加熱負荷２９及び圧力３４、通常動作での切断方法が時点３５まで示される。ここで、温度２７は温度２７の指令値２６周辺で変動し、圧力３４は温度２７と温度差の関数として指令値２６に調節される。すなわち、温度２７は圧力３４を通じて調節される。さらに、基本負荷３０は好ましくは一定レベルに保持される。つまり、圧力３４は、温度２７が指令値２６を超えるときに基本的に上昇し、温度２７が指令値２６を下回るときに低下する。時点３５以降から分かるように、温度２７は継続的に上昇し、圧力３４は温度２７を再度低減するために調節ユニットを介して増大させられる。圧力３４が上方閾値３６、たとえば６．５バールを超えると、時点３７で見られるように、基本負荷３０はさらに、たとえば１０％低減される。指令値２６まで再度温度２７を低下させるため、圧力３４は時点３８まで見られるように最大レベルを維持する。時点３７と３８間の時間の関数として、すなわち、指令値２６に達するまで温度２７が閾値３６を超えた時点から、基本負荷３０は、最小１０％に達するまで、相応に複数回にわたりさらに１０％低減させることができる。基本負荷３０の追加の１０％低減は、時点３７と３８間で例示的に示される。温度２７がこれらの手段により低減することができず、２４０℃の値を超える場合、水蒸気切断装置１は安全のために調節ユニットによって停止される。ただし、この手段は基本的に、温度２７が時点３８以降から指令値２６に達する、あるいはその周辺を変動する効果を有する。ここで、圧力３４は相応に調整され、基本負荷３０は常に低減された値で維持される。温度２７が下方閾値２９、たとえば１８２℃を下回る場合、圧力３４は最低値まで相応に低減され、指令値２６にできるだけ早急に達するまで基本負荷３０はさらに１０％増大される。この手段は時点４０以降に示される。閾値３９を再び超過するとすぐに、時点４１で見られるように、調節ユニットは通常動作と同様に動作する。すなわち、可能であれば、温度２７が閾値２６を下回ると圧力３４が低減され、温度２７が閾値２６を超過すると圧力３４が相応に増大され、基本負荷３０は現行の値で一定に保持される。
【００４０】
同様に、本発明によると、調節ユニットは急な温度低下の検知と適切な対策をさらに備える。
【００４１】
このことについて図４の切断方法履歴に関する図を用いてより詳細に説明する。温度履歴から分かるように、温度２７は急に低下する時点４２まで、切断方法間に継続的に上昇する。これは時点４２と４３の間で示される。たとえば１秒当り４０℃の温度低下が調節ユニットを介して検知され、適切な措置が講じられる、すなわち、既知なように、温度２７が圧力３４を通じて調節される。さらに、基本負荷３０は、時点４２で最大加熱負荷２９まで増大される。よって、急な温度低下が鈍り、再び蒸発器２５の一定温度２７が調節される。その時点で、時点４３以降見られるように温度低下が鈍るまで、最大加熱負荷２９が印加される。よって、基本負荷３０は再び元の値まで低減される。当然ながら、基本負荷３０は、蒸発器２５の略一定温度２７が調整されるようにさらに長時間にわたって最大加熱負荷２９まで上昇させることもできる。よって、有益なことに、温度２７の閾値２６が急すぎる勾配で達成されるのを回避することができる。これは、温度低下がもはや調節ユニットを介して低減できず、温度２７がたとえば１７０℃未満に落ちると、水蒸気切断装置１が自動的に停止するという結果を招くかもしれない。同様に、温度２７がたとえば２４０℃の最大温度に近いとき、前記調節ユニットは不要である。
【００４２】
好ましくは、圧力及び温度調節は、マイクロコントローラ、特に水蒸気切断装置１の制御ユニット３のマイクロコントローラによって行われる。
【図面の簡単な説明】
【００４３】
【図１】水蒸気切断装置の模式図である。
【図２】水蒸気プラズマトーチの断面の模式図である。
【図３】切断動作中の温度、加熱負荷、及び圧力の概略的な温度の挙動を示す。
【図４】急な温度変動の場合の温度及び加熱負荷の概略的な挙動を示す。
【符号の説明】
【００４４】
１  水蒸気切断装置
１ａ  基本装置
２  電流源
３  制御ユニット
４  遮断素子
５  タンク
６  水蒸気プラズマトーチ
８  液体
２４  加熱素子
２５  蒸発器
２６  閾値
２７  温度
３０  基本負荷
３４  圧力
【図１】
0005500822.tif 000002
【図２】
0005500822.tif 000003
【図３】
0005500822.tif 000004
【図４】
0005500822.tif 000005